(57)【要約】【課題】一般個人住宅や小規模店舗等において、室内環境の快適性とエネルギー消費の最適化を実現する環境エネルギー管理システムとシステムを構成する装置を提供する。【解決手段】本発明は上記の課題を解決するため、エージェント技術を応用した装置とシステムで構成し、エージェント装置が有する自律制御機能、論理グループ機能および階層化機能と、管理マネージャ装置が有するエージェント装置からのデータ収集機能、エージェント装置を一括管理・制御する機能、温熱環境計算とエネルギー最適化計算機能および得られた計算結果に基づく空気調和設備の制御機能により、室内の温熱環境の最適化とエネルギー消費の最小化の両立を実現する。【選択図】  図１
2006331372.tif 000002
【特許請求の範囲】
【請求項１】
複数の検出器およびセンサあるいはコントローラを接続し、
検出器およびセンサの値により自律的に動作およびコントローラを制御する機能、
および外部からの要求に応じて動作およびコントローラを制御する機能、
を有するエージェント装置であって、
ネットワークを介して通信を行う通信処理部と、
複数のセンサと通信を行うセンサＩ／Ｆ部と、
複数の機器の制御を行う制御Ｉ／Ｆ部と、
動作の目的あるいは動作条件あるいは制御情報あるいはプログラムあるいはセンサから取得したデータを記録保持するデータ記録部と、
前記複数のエージェント装置の中から、動作の目的あるいは動作条件あるいは制御情報あるいはセンサ種別が共通のエージェント装置を選択して論理的なグループを構成する機能を有するグループ処理部と、
前記論理グループ内の複数のエージェント装置の中から、上位と下位の階層化を決定する手段と階層化情報を有する階層化処理部と、
目的を実現するための動作を自律的に決定し、かつ実行する自律処理部と、
および
目的を実現するために前記各部を制御あるいは前記各部と連携してエージェント装置全体の動作を制御し、あるいは外部からの要求に対応した動作を制御する目的処理部と、
を備えることを特徴とするエージェント装置。
【請求項２】
請求項１に記載した複数のエージェント装置とネットワークを介して通信する手段と、
インターネットの気象情報サイトから送信される気象予報データを受信および記録する手段と、
前記気象予報データ、住宅または店舗の建築設計データおよび伝熱関連データを元に室内温熱環境を計算および予測する手段と、
前記空気調和設備、照明器具および家電製品の消費電力量を計算および予測する手段と、
前記計算で得られる温熱環境と前記計算で得られる消費電力量との関係を最適化する最適化処理手段と、
前記計算条件と結果および最適化処理のデータを記録装置に記録する手段と、
および前記複数の空気調和設備、照明器具および家電製品を制御する手段と、
を備える事を特徴とする管理マネージャ装置。
【請求項３】
室内の空気調和を行う複数の空気調和設備と、
複数の検出器あるいは複数のセンサと、
前記複数の空気調和設備の運転を設定・制御する複数のコントローラと、
室内の複数の家電機器あるいは照明器具を制御する複数のコントローラと、
システムへの入力ができ、かつシステムの状態あるいは前記計算結果を表示する複数のモニタ端末と、
前記複数の検出器およびセンサあるいはコントローラと接続された、請求項１に記載した複数のエージェント装置と、
請求項２に記載した管理マネージャ装置と、
およびインターネット上の気象情報Ｗｅｂサイトから構成され、
ネットワークに接続された前記複数のエージェント装置と前記管理マネージャ装置がセンサデータおよび気象情報を収集し、温熱環境とエネルギー消費を計算して空気調和設備を制御することにより、利用者が希望する室内温熱環境を最適なエネルギー消費で実現する事を特徴とする環境エネルギー管理システム。
【請求項４】
請求項３に加えて、太陽電池発電設備による発電運転を行い、太陽電池による発電量を測定する発電量センサと、
太陽電池による発電量の内、電力会社に売る余剰の電力量を測定する売電量センサと、
電力会社から購入する買電量を測定する買電量センサが、前記複数のエージェント装置に接続されている事、
を特徴とする環境エネルギー管理システム。
【請求項５】
請求項３および請求項４に加えて、燃料電池発電設備による発電運転を行い、燃料電池による発電量を測定する発電量センサと、
燃料電池発電設備に投入するガス流量を測定するガス流量センサと、
燃料電池発電設備の廃熱の熱回収量を測定する、給水温度センサ、給湯温度センサおよび水量センサが前記エージェント装置に接続されている事、
を特徴とする環境エネルギー管理システム。
【請求項６】
前記エージェント装置は、
前記複数のセンサからの測定データをＩＰパケットに加工し、ＩＰネットワーク経由で前記管理マネージャ装置に送信する機能と、
前記複数のセンサからの値が変化した場合、あるいは前記複数のセンサからの値があらかじめ設定された閾値を超えた場合、あるいは複数の閾値の組み合わせ条件に該当する場合に、ＩＰパケットで管理マネージャ装置に通知する機能と、
を備える請求項１から５のいずれかに記載の環境エネルギー管理システム。
【請求項７】
前記エージェント装置は、
前記管理マネージャ装置からの動作設定の変更要求に対し、エージェント装置内のデータ記録部に記録されている動作設定を変更する機能と、
前記管理マネージャ装置から要求された特定のセンサデータを管理マネージャ装置に送信する機能と、
および前記管理マネージャ装置から要求された特定の空気調和設備あるいは照明器具あるいは家電製品あるいは発電設備を、当該コントローラを介して制御する機能と、
を備える請求項１から６のいずれかに記載の環境エネルギー管理システム。
【請求項８】
前記エージェント装置は、
前記複数のセンサからの値が変化した場合、あるいは複数のセンサからの値があらかじめ設定された閾値を超えた場合、あるいは複数の閾値の組み合わせ条件に該当する場合、自身のデータ記録部に格納された処理プログラムに従い、接続されている各コントローラを制御し、前記複数の空気調和設備あるいは照明器具あるいは家電製品あるいは発電設備を制御する機能、
を備える請求項１から７のいずれかに記載の環境エネルギー管理システム。
【請求項９】
前記管理マネージャ装置は、
前記気象予報データを元に、空気調和設備を使用しない状態での室内の温熱環境を計算する手段と、
複数の空気調和設備の使用条件を元に、室内の温熱環境を計算する手段と、
前記複数の空気調和設備の使用条件を元に計算した温熱環境が、利用者の設定した環境条件に適合するか判定を行う手段と、
前記判定で適合する場合、複数の空気調和設備の使用条件を記録装置に記録する手段と、
および前記判定で適合しない場合、空気調和設備を制御時の室内温熱環境を計算し、計算結果を記録装置に記録する手段を特徴とする、
温熱環境計算機能を備える請求項１から８のいずれかに記載の環境エネルギー管理システム。
【請求項１０】
前記管理マネージャ装置は、
前記気象予報データを元に、太陽電池発電設備の発電量を計算する手段と、
前記温熱環境の計算で使用される複数の空気調和設備で消費される電力量と、照明器具、家電製品および発電設備で消費される消費電力量の合計を計算する手段と、
前記消費電力量と前記太陽電池発電量から購入電力量を計算する手段と、
前記購入電力量から燃料電池発電設備の発電量を計算する手段と、
前記燃料電池発電量に必要なガス量とガス器具で使用されるガス量を計算する手段と、
前記購入電力料金およびガス料金の合計の最小値を計算する手段と、
および前記計算結果を記録装置に記録する手段を特徴とする、
エネルギー消費最適化計算機能を備える請求項１から９のいずれかに記載の環境エネルギー管理システム。
【請求項１１】
前記管理マネージャ装置は、
前記温熱環境計算の結果および前記エネルギー消費最適化計算の結果を元に、
前記エージェント装置を経由して各コントローラ制御し、複数の空気調和設備、照明器具、家電機器および発電設備を制御する機器制御機能を備える、
請求項１から１０のいずれかに記載の環境エネルギー管理システム。
【請求項１２】
前記管理マネージャ装置は、
前記空気調和設備、照明器具および家電機器の制御時に、前記温熱環境計算の条件と結果および前記エネルギー消費最適化計算の条件と結果と異なる旨の通知を前記エージェント装置から受信する手段と、
前記温熱環境計算の計算条件をセンサからの値に変更する手段と、
変更した計算条件で再度温熱環境計算を実行する手段と、
新しい温熱環境計算の結果を元にエネルギー消費最適化計算を再度実行する手段と、
温熱環境計算とエネルギー消費最適化計算の結果を記録装置に記録する手段と、
再計算した結果を元に前記エージェント装置を経由して各コントローラを制御し、
複数の空気調和設備、照明器具、家電機器および発電設備を制御する機能を備える、
請求項１から１１のいずれかに記載の環境エネルギー管理システム。
【請求項１３】
請求項１から請求項１２のいずれかに加えて、インターネットを経由して複数の前記管理マネージャ装置を遠隔から監視・管理・制御する機能を備える、
統括管理マネージャ装置を備えた事を特徴とする環境エネルギー管理システム。
【請求項１４】
前記管理マネージャ装置は、
前記エージェント装置から通知されたイベントの内容について、記録装置に予め登録された内容と同一かを検索する手段と、
前記検索の結果、登録されているイベントの対応動作を取り出す手段と、
当該エージェント装置を制御して関連する機器の動作を実行する手段と、
前記検索の結果、登録されていない場合にはインターネットを経由して該当するＷｅｂサイトにアクセスし、必要な情報を取得して記録装置に記録し、当該エージェント装置を制御して関連する機器の動作を実行する手段と
かつ利用者に通知する手段を備える、
請求項１から１３のいずれかに記載の環境エネルギー管理システム。
【請求項１５】
前記管理マネージャ装置は、
機器制御に応じて前記複数のセンサおよび発電設備の各センサからの測定データを前記複数のエージェント装置経由で収集する手段と、
記録装置に記録する機能を備える、
請求項１から１４のいずれかに記載の環境エネルギー管理システム。
【発明の詳細な説明】
【技術分野】
【０００１】  本発明は、一般個人住宅および商店あるいはコンビニエントストア等の小規模店舗の室内環境（温度、湿度、風速、空気汚れ等）を居住者あるいは在室者が希望する条件で実現する際、室内の温熱環境とエネルギー消費を連動して計算して最適化し、最小のエネルギーコストで当該室内環境を実現する環境エネルギー管理システムとシステムを構成する装置に関する。
【背景技術】
【０００２】  二酸化炭素等の温室効果ガス排出量の削減を謳った京都議定書の発効を受け、環境および省エネルギーへの社会的関心が高まってきている。個々の発生量が小さくてもその数が大きい個人住宅や小規模店舗等において、室内の温熱環境と省エネルギーの両立を図る事は、産業界にとって重要な解決すべきテーマである。このようなことから、近年、室内の快適な温熱環境を計算で求め、これに必要な空調負荷を求めて、ユーザーに最適な環境条件を表示し選択させる事により、省エネルギーを図る装置やシステムがいろいろ提案されている。このような装置やシステム例として、空調負荷計算装置（例えば特許文献１）やエネルギー制御ステム（例えば特許文献２）等がある。【０００３】  また、環境条件の提示だけでなく、実際に環境や省エネルギーを実現する制御まで提案したシステム例として、空気調和システム（例えば特許文献３）や、エネルギー供給システム（例えば特許文献４）がある。
【特許文献１】特開２００３−３４３８９４号公報
【特許文献２】特開２００１−２９６９０４号公報
【特許文献３】特開２００３−２８７３６６号公報
【特許文献４】特開２００１−２９５７００号公報
【発明の開示】
【発明が解決しようとする課題】
【０００４】  しかしながら従来提案されている装置やシステムでは、室内の空調負荷計算を予め入力された各種データを元に計算し、計算の結果得られた温熱環境やエネルギー消費量を表示することで、居住者に希望する空調機等のコントローラの設定をさせている。しかし、計算した値と次実測値が異なる場合や、計算した前提条件と異なるイベントや条件が生じた場合では、瞬時に最適な方法を求め制御することは不可能である。【０００５】  例えば特許文献１では、個人のライフスタイルを反映させるため、住宅の空調負荷を計算する際に空調の使い方の情報を入力する手段を備える事を特徴としているが、空調機の負荷だけを想定している点、省エネルギー対応が考慮されていない点および実際の制御は人手によるため、実際の空調制御時には当初の計算条件と異なる状態が多数考えられ、動的に対応する事が難しい点が問題である。【０００６】  次に特許文献２は、ガス、水道、電気といったエネルギー源を管理・制御する事で、利用者の要求するエネルギー消費量に対して、最適なエネルギー源の選択と制御を実現するシステムを提案している。しかし、ユーザーが要求する空調等のエネルギー必要量についての詳細な説明がなく、空調に必要なエネルギー量をどのように計算するか不明なため、エネルギー制御の最適化の根拠が乏しい。【０００７】  一方、特許文献３では、インターネットからユーザーの希望する空質環境条件を受信し、当該空質環境条件に基づいて空調制御を行う方法を提案しているが、省エネルギーに関する考察がなく、最近求められている環境と省エネルギーの両立という観点からは逸脱しており、省エネルギーの面からだけでも問題である。【０００８】  また特許文献４では、暖房、冷房、給湯などのエネルギー需要に対して、多数のエネルギー供給設備の運転方式のシミュレーションを行い、エネルギーコストが最小となるような運転の最適化方法を提案している。しかし本提案においても、予め最適な運転条件を計算で求めておき、通常は求められた運転条件に従って制御を行うが、実際と計算値が異なる場合には負荷追随制御を行うため、果たして行った追随制御が最小のエネルギー消費を保障するかは不明である。
【発明が解決するための手段】
【０００９】  本発明は上記の問題点を解決するため、エージェント技術を応用したシステムで構成し、エージェントが有する自律制御機能、論理グループ化機能および階層化機能と、マネージャが有するエージェントからのデータ収集機能、エージェントを一括管理・制御する機能、温熱環境解析とエネルギー消費最適化計算機能および得られた計算結果に基づく空気調和設備の制御機能により、室内の温熱環境の最適化とエネルギー消費の最小化の両立を実現する。具体的には各請求項に記載している。
【００１０】  先ず請求項１では、本システムを構成するエージェント装置について記載している。すなわち、複数の検出器およびセンサあるいはコントローラを接続し、検出器およびセンサの値により自律的に動作あるいはコントローラを制御する機能を有するエージェント装置であって、ネットワークを介して通信を行う通信処理部と、複数のセンサと通信を行うセンサＩ／Ｆ部と、複数の機器の制御を行う制御Ｉ／Ｆ部と、動作の目的、動作条件、制御情報、プログラムあるいはセンサ等から取得したデータを記録保持するデータ記録部と、前記複数のエージェント装置の中から、動作の目的あるいは動作条件あるいは制御情報あるいはセンサ種別が共通のエージェント装置を選択して論理的なグループを構成する機能を有するグループ処理部と、前記論理グループ内の複数のエージェント装置の中から、上位と下位の階層化を決定する手段と階層化情報を有する階層化処理部と、目的を実現するための動作を自律的に決定し、かつ実行する自律処理部と、および目的を実現するために前記各部を制御あるいは前記各部と連携してエージェント装置全体の動作を制御し、あるいは外部からの要求に対応した動作を制御する目的処理部を備えることを特徴とするエージェント装置である。
【００１１】  請求項２では、本システムの中で前記複数のエージェント装置と連携する管理マネージャ装置について記載している。すなわち、請求項１に記載した複数のエージェント装置とネットワークを介して通信する手段と、インターネットの気象情報サイトから送信される気象予報データを受信および記録する手段と、前記気象予報データ、住宅または店舗の建築設計データおよび伝熱関連データを元に室内温熱環境を計算および予測する手段と、前記空気調和設備、照明器具および家電製品の消費電力量を計算および予測する手段と、前記計算で得られる温熱環境と前記計算で得られる消費電力量との関係を最適化する最適化処理手段と、および前記複数の空気調和設備、照明器具および家電製品を制御する手段と、を備える事を特徴とする管理マネージャ装置である。
【００１２】  請求項３では、本システムを実現する基本構成を記載している。すなわち、室内の空気調和を行う複数の空気調和設備と、複数の検出器あるいは複数のセンサと、前記複数の空気調和設備の運転を設定・制御するコントローラと、室内の複数の家電機器あるいは照明器具を制御するコントローラと、システムへの入力ができ、かつシステムの状態あるいは計算結果を表示する複数のモニタ端末と、前記複数の検出器およびセンサあるいはコントローラと接続された、請求項１に記載した複数のエージェント装置と、請求項２に記載した管理マネージャ装置と、およびインターネット上の気象情報Ｗｅｂサイトから構成され、ネットワークに接続された前記複数のエージェント装置と前記管理マネージャ装置がセンサデータおよび気象情報を収集し、温熱環境とエネルギー消費を計算して空気調和設備を制御することにより、利用者が希望する室内温熱環境を最適なエネルギー消費で実現する事を特徴とする環境エネルギー管理システムである。
【００１３】  次に請求項４では、太陽電池発電設備が一般住宅に普及し始めている現状を反映させるため、システムに太陽電池発電設備を加え場合を記載している。すなわち、請求項３に加えて、太陽電池発電設備による発電運転を行い、太陽電池による発電量を測定する発電量センサと、太陽電池による発電量の内、電力会社に売る余剰の電力量を測定する売電量センサと、電力会社から購入する買電量を測定する買電量センサが、前記複数のエージェント装置に接続されている事を特徴とする環境エネルギー管理システムである。
【００１４】  請求項５では、今後一般家庭や小規模店舗にも設置が予想される燃料電池発電設備をシステムに追加した場合を記載している。すなわち、請求項３および請求項４に加えて、燃料電池発電設備による発電運転を行い、燃料電池による発電量を測定する発電量センサと、燃料電池発電設備に投入するガス流量を測定するガス流量センサと燃料電池発電設備の廃熱の熱回収量を測定する、給水温度センサ、給湯温度センサおよび水量センサが前記エージェント装置に接続されている事を特徴とする環境エネルギー管理システムである。
【００１５】  請求項６では、エージェント装置のイベント通知機能について記載している。すなわち、前記エージェント装置は、前記複数のセンサからの測定データをＩＰパケットに加工し、ＩＰネットワーク経由で前記管理マネージャ装置に送信する機能と、前記複数のセンサからの値が変化した場合、あるいは前記複数のセンサからの値があらかじめ設定された閾値を超えた場合、あるいは複数の閾値の組み合わせ条件に該当する場合に、ＩＰパケットで管理マネージャ装置に通知する機能と、を備える請求項１から５のいずれかに記載の環境エネルギー管理システムである。
【００１６】  次に請求項７も、エージェント装置の機能について記載している。すなわち、前記エージェント装置は、前記管理マネージャ装置からの動作設定の変更要求に対し、エージェント装置内のデータ記録部に記録されている動作設定を変更する機能と、前記管理マネージャ装置から要求された特定のセンサデータを管理マネージャ装置に送信する機能と、および前記管理マネージャ装置から要求された特定の空気調和設備あるいは照明器具あるいは家電製品あるいは発電設備を、当該コントローラを介して制御する機能と、を備える請求項１から６のいずれかに記載の環境エネルギー管理システムである。
【００１７】  請求項８も、エージェント装置の自律処理機能について記載している。すなわち、前記エージェント装置は、前記複数のセンサからの値が変化した場合、あるいは複数のセンサからの値があらかじめ設定された閾値を超えた場合、あるいは複数の閾値の組み合わせ条件に該当する場合、自身のデータ記録部に格納された処理プログラムに従い、接続されている各コントローラを制御し、前記複数の空気調和設備あるいは照明器具あるいは家電製品あるいは発電設備を制御する機能、を備える請求項１から７のいずれかに記載の環境エネルギー管理システムである。
【００１８】  請求項９では、管理マネージャ装置が備える温熱解析機能について記載している。すなわち、前記管理マネージャ装置は、前記気象予報データを元に、空気調和設備を使用しない状態での室内の温熱環境を計算する手段と、複数の空気調和設備の使用条件を元に、室内の温熱環境を計算する手段と、前記複数の空気調和設備の使用条件を元に計算した温熱環境が、利用者の設定した環境条件に適合するか判定を行う手段と、前記判定で適合する場合、複数の空気調和設備の使用条件を記録装置に記録する手段と、および前記判定で適合しない場合、空気調和設備を制御時の室内温熱環境を計算し、計算結果を記録装置に記録する手段を特徴とする、温熱環境計算機能を備える請求項１から８のいずれかに記載の環境エネルギー管理システムである。
【００１９】  請求項１０では、管理マネージャ装置のエネルギー消費最適化計算機能について記載している。すなわち、前記管理マネージャ装置は、前記気象予報データを元に、太陽電池発電設備の発電量を計算する手段と、前記温熱環境の計算で使用される複数の空気調和設備で消費される電力量と、照明器具、家電製品および発電設備で消費される消費電力量の合計を計算する手段と、前記消費電力量と前記太陽電池発電量から購入電力量を計算する手段と、前記購入電力量から燃料電池発電設備の発電里を計算する手段と、前記燃料電池発電量に必要なガス量とガス器具で使用されるガス量を計算する手段と、前記購入電力料金およびガス料金の合計の最小値を計算する最適化手段と、および前記計算結果を記録装置に記録する手段を特徴とする、エネルギー消費最適化計算機能を備える請求項１から９のいずれかに記載の環境エネルギー管理システムである。
【００２０】  請求項１１では、管理マネージャ装置の機器制御機能について記載している。すなわち、前記管理マネージャ装置は、前記温熱環境計算の結果および前記エネルギー消費最適化計算の結果を元に、前記エージェント装置を経由して各コントローラ制御し、複数の空気調和設備、照明器具および家電機器を制御する機器制御機能を備える、請求項１から１０のいずれかに記載の環境エネルギー管理システムである。
【００２１】  請求項１２では、管理マネージャ装置の動的機器制御機能について記載している。すなわち、前記管理マネージャ装置は、前記空気調和設備、照明器具および家電機器の制御時に、前記温熱環境計算の条件と結果、および前記エネルギー消費最適化計算の条件と結果と異なる旨の通知を前記エージェント装置から受信する手段と、前記温熱環境計算の計算条件をセンサからの値に変更する手段と、変更した計算条件で再度温熱環境計算を実行する手段と、新しい温熱環境計算の結果を元にエネルギー消費最適化計算を再度実行する手段と、温熱環境計算とエネルギー消費最適化計算の結果を記録装置に記録する手段と、再計算した結果を元に前記エージェント装置を経由して各コントローラを制御し、複数の空気調和設備、照明器具および家電機器を制御する機能を備える、請求項１から１１のいずれかに記載の環境エネルギー管理システムである。
【００２２】  請求項１３では、システムを拡張しインターネット上に管理サイトを設置し、統括マネージャをシステムに組み込んだ場合について記載している。すなわち、請求項１から請求項１２のいずれかに加えて、インターネットを経由して複数の前記管理マネージャ装置を遠隔から監視・管理・制御する機能を備える、統括管理マネージャ装置を備えた事を特徴とする環境エネルギー管理システムである。
【００２３】  請求項１４では、システムでイベントが発生した際、対応動作をＷｅｂサイトにアクセスして取得する機能について記載している。すなわち、前記管理マネージャ装置は、前記エージェント装置から通知されたイベントの内容について、記録装置に予め登録された内容と同一かを検索する手段と、前記検索の結果、登録されているイベントの対応動作を取り出す手段と、当該エージェント装置を制御して関連する機器の動作を実行する手段と、前記検索の結果、登録されていない場合にはインターネットを経由して該当するＷｅｂサイトにアクセスし、必要な情報を取得して記録装置に記録し、当該エージェント装置を制御して関連する機器の動作を実行する手段と、かつ利用者に通知する手段を備える、請求項１から１３のいずれかに記載の環境エネルギー管理システムである。
【００２４】  請求項１５では、システムの拡張機能について記載している。すなわち、前記管理マネージャ装置は、前記複数のセンサおよび発電設備の各センサからの測定データを前記複数のエージェント装置経由で収集し、記録装置に記録する機能を備える、請求項１から１４のいずれかに記載の環境エネルギー管理システムである。
【発明の効果】
【００２５】  本システムにより、一般住宅あるいは小規模店舗において、請求項９で記載した様に室内の温熱環境を精度良く予測あるいは計算する事ができ、この計算結果を元に請求項１０で記載した様に、空調機器、照明器具および家電機器等の運転を最適化することが出来、請求項１１で記載した機器制御方法により、居住者の希望する温熱環境の実現と省エネルギーの両立を実現することができる。
【００２６】  また、本システムの特徴である自律制御機能、論理グループ機能および階層化機能を有するエージェント装置により、予想外のイベントや事象に対して、イベントに関連する論理グループが動的かつリアルタイムに対応する事が出来、エージェント装置と連動してマネージャ装置が再度最適な温熱環境とエネルギー計算を行う事から、変化した後の条件をリアルタイムに変更することができる。
【００２７】  更に、家庭用や店舗用の空調機器や家電機器の制御は、今迄に数多くの制御方法が提案されてきたが、いまだ仕様が標準化されておらず、メーカー毎に異なるのが現状であった。しかし、本システムで提案している機器の制御方法の一つとして、現在最も普及している赤外線リモコンによる方法を提案しており、この方法であれば直ぐにシステムに組み込む事が出来、かつ低価格にシステムを構築することができる。
【００２８】  次に本システムでは、最近の個人住宅あるいは店舗等に普及し始めている太陽電池発電設備および燃料電池発電設備についても考慮されており、両発電設備を備えた個人住宅等の快適な温熱環境の実現とエネルギー配分の最適化を実現し、省エネルギーが大いに期待できる。
【００２９】  また、システムを構成するエージェント装置に関して、主要な機能を半導体製品にすることでシステム全体のコストを低減し、システム全体の信頼性も向上させることができる。
【発明を実施するための最良の形態】
【実施例】
【００３０】  以下、発明の実施の形態を通じて本発明を説明するが、以下の実施形態は請求の範囲にかかる発明を限定するものではなく、また実施形態の中で説明されている特長の組み合わせの全てが発明の解決手段に必須であるとは限らない。【００３１】  本発明の実施例について図１から図９を使い説明する。図１は個人住宅あるいは小規模店舗に本発明の環境エネルギー管理システムを適用した場合のシステム構成をモデル化したものである。室内の温熱環境を計測するために、温度センサ２３１、湿度センサ２３２、気流速センサ２３３、気圧センサ、熱貫流センサ、日射量センサ等の複数の環境センサ２３をエージェント装置１１に接続し、エージェント装置１１は住宅内の各室内あるいは店舗の測定ポイントに設置してＬＡＮ２０に接続する。【００３２】  温熱環境を計算する場合には屋外の環境も測定する必要があり、気温、湿度、風速、大気圧、日射量、雨量等の気象関連データが測定対象になる。これらのデータを測定する気象センサ２６をエージェント装置１１に接続し、エージェント装置１１は家庭内ＬＡＮ２０に接続する。【００３３】  一方、各種の空気調和設備、家電機器２９、照明器具３０等は電力を使用するので、エネルギー消費量を計算して最適化する場合、これら機器の電力消費量を計測する必要がある。このため測定対象となる機器毎に電力量センサ２４を設置し、各電力量センサ２４を複数のエージェント装置１１に接続する。エージェント装置１１は分電盤内等に設置して家庭内ＬＡＮ２０に接続する。【００３４】  ここで空気調和設備とは、エアコン等の空調機２８、自動開閉窓や換気ファン等の換気装置３２および自動カーテンや自動ブラインド等の開閉制御によって太陽からの日射量を調節できる太陽光遮蔽装置３３が代表的なものであるが、これらが全てではなく他にも各種の装置がある。【００３５】  また、エネルギー消費という意味ではガスも考慮する必要があり、ガスコンロやガス給湯器等のガス機器３１のガス量を計測するため、ガス量センサ２５をガス機器３１に設置し、ガス量センサ２５をエージェント装置１１接続する。エージェント装置１１は他と同様に家庭内ＬＡＮ２０に接続する。【００３６】  次に、居住者等の利用者が希望する室内の快適な温熱環境を実現するため、空調機２８、換気装置３２、太陽光遮蔽装置３３を制御する必要がある。このため各機器のコントローラ２７とエージェント装置１１を接続し、エージェント装置１１は家庭内ＬＡＮ２０に接続する。ここで、空調機２８のコントローラ２７は赤外線リモコンが一般的で、無線である赤外線３４で空調機２８を制御する。一方、換気装置３２や太陽光遮蔽装置３３の各コントローラ２７は有線３５で装置を制御する場合が多い。制御の内容は、換気ファンの電源オン／オフやカーテンの全開／全閉といった簡単なオン／オフ制御が多いが、ブラインドの開き具合を複数段階に調節できる場合もある。【００３７】  また、こたつ、ストーブ等の暖房器具やＴＶ等の家電機器２９の制御や照明器具３０の制御を可能にするため、各機器のコントローラ２７をエージェント装置１１に接続し、エージェント装置１１を家庭内ＬＡＮ２０に接続する。また、システムへの入力ができ、シ��テムの状態あるいは計算結果を表示する複数のモニタ端末４０も家庭内ＬＡＮ２０に接続する。【００３８】  次に管理マネージャ装置１０を家庭内ＬＡＮ２０に接続することで、前記複数のエージェント装置１１と通信が可能となり、エージェント装置１１に接続された各種センサから計測したデータを収集することができる。また、空調機２８、換気装置３２、家電機器２９や照明器具３０等も、エージェント装置１１を制御することで、接続しているコントローラ２７を介して制御する事ができる。【００３９】  更に管理マネージャ装置が、インターネット上に開設されている気象情報Ｗｅｂサイトから温熱環境解析で必要となる屋外の天気予報データを取得できるように、室内ＬＡＮ２０とルーター３６を介してインターネット３７にアクセス可能な環境にすることで、本システムを構成する要件が揃うことになる。【００４０】  最近では、環境や省エネルギーへの意識の高まりにより、一般個人住宅や店舗等に太陽電池発電設備４１あるいは燃料電池発電設備４２を設置する例が多い。このような背景から、本システムでは太陽電池発電設備４１あるいは燃料電池発電設備４２をシステムに組み込み、エネルギー消費の最適化計算する際に、太陽電池あるいは燃料電池による発電量を考慮した計算を行う事ができるようにしている。図２は太陽電池発電設備４１あるいは燃料電池発電設備４２を組み込んだ拡張システムのモデル図である。【００４１】  拡張システムでは、太陽電池発電設備４１による発電量を計測するため、追加として発電量センサ２４１や余剰の発電量を電力会社に販売する際に測定する買電量センサ２４２等をエージェント装置１１に接続し、エージェント装置１１を家庭内ＬＡＮ２０に接続して、管理マネージャ装置１０が管理できるようにする。【００４２】  同様に燃料電池発電設備４２にも、ガス量センサ２５、熱交換器に入る水量と水温を測定する水量センサと温度センサ２３１や、熱交換器から出てくる温水温度を測定する温度センサ２３１を接続したエージェント装置１１を家庭内ＬＡＮ２０に接続し、管理マネージャ装置１０が管理できるようにする。【００４３】  次に、本システムで重要な構成要素であるエージェント装置について、図３を用いて説明する。エージェント装置１１は、室内ＬＡＮ２０等のネットワークを介して通信を行う通信処理部１３と、複数のセンサと通信を行うセンサＩ／Ｆ部１４と、複数の機器の制御を行う制御Ｉ／Ｆ部１５と、動作の目的、動作条件、制御情報、プログラムおよびセンサから取得したデータを記録保持するデータ記録部１９と、前記複数のエージェント装置１１の中から、動作の目的あるいは動作条件あるいは制御情報あるいはセンサ種別が共通のエージェント装置１１を選択して論理的なグループを構成する機能を有するグループ処理部１８と、前記論理グループ内の複数のエージェント装置１１の中から、上位と下位の階層化を決定する手段と階層化情報を有する階層化処理部１７と、目的を実現するための動作を自律的に決定し、かつ実行する自律処理部１６と、および目的を実現するために前記各部を制御あるいは前記各部と連携してエージェント装置全体の動作を制御し、あるいは外部からの要求に対応した動作を制��する目的処理部１２から構成されている。【００４４】  ここで本エージェント装置の特長として、グループ処理部１８と階層処理部１７の２つが挙げられる。先ず、あるエージェント装置１１のグループ処理部１８は、他のエージェント装置１１のグループ処理部１８とネットワークを介して情報交換し、各エージェント装置１１が有する動作の目的、動作条件、制御情報あるいはセンサ種別等の属性データを一覧できるテーブルを自身の分も含めて作成し、属性データ単位で共通する複数のエージェン装置１１をグループ化する。【００４５】  ただしグループを構成するエージェント装置は、同一の室内に接続されている複数のエージェント装置１１や住宅の１階に設置されている複数のエージェント装置１１といった物理的な関係ではなく、主人の居住空間の温度を２２度に制御するという制御情報の場合、１階の居間のエージェント装置１１と２階の寝室のエージェント装置といった論理的なグループを意味する。従って、サブネットワーク構成でアドレスが異なる場合でも、属性データが同じエージェント装置１１であればサブネットをまたがって論理グループを構成する。【００４６】  論理グループについて図５を用いて更に説明を加える。図５には９個のエージェント装置１１が有り、各エージェント装置１１には温度センサ２３１、湿度センサ２３２、気流センサ２３３、電力量センサ２４が接続されている。ここではセンサの種別で論理グループ化がされていて、温度センサ２３１が接続されているエージェント装置１１はエージェント装置Ａ１１１、エージェント装置Ｃ１１３、エージェント装置Ｅ１１５およびエージェント装置Ｈ１１８の４個で、これらが論理グループを構成している。一方、気流センサ２３３が接続されているエージェント装置１１はエージェント装置Ｂ１１２、エージェント装置Ｃ１１３、エージェント装置Ｄ１１４、エージェント装置Ｇ１１７およびエージェント装置Ｈ１１８の５個で、これらが別の論理グループを構成している。【００４７】  しかし、エージェント装置Ｃ１１３とエージェント装置Ｈ１１８に関しては両方のセンサが接続されているので、両方の論理グループに属している。このように、本エージェント装置の論理グループ化は非常にフレキシブルなグループを構成することができる。【００４８】  なお、グループ処理部１８で作成したテーブルには、論理グループを構成する複数のエージェント装置１１のＭＡＣアドレスやメーカーで割り振った製品識別ＩＤ等の識別番号を記録する。【００４９】次に、階層処理部１７の機能について説明する。グループ処理部１８で作成された論理グループは複数のエージェント装置１１で構成されており、管理マネージャ装置から制御あるいは管理する場合、複数個のエージェント装置に対して同じ要求する場合や動作条件を設定する場合には論理グループの代表、すなわち通常１個に対して要求あるいは設定する事により、管理マネージャ装置側の負荷を大きく低減する事が出来、リアルタイム処理を要求されるシステム全体の制御の効率化を図る事が出来る。【００５０】  ここで図５および図６を用いて階層処理部１７の機能を説明する。階層処理部１７はグループ処理部のテーブルに記録された、論理グルー��を構成するエージェント装置の識別ＩＤを参照し、図５で同一論理グループであったエージェント装置Ａ１１１、エージェント装置Ｃ１１３、エージェント装置Ｅ１１５およびエージェント装置Ｈ１１８の中から、識別ＩＤの一番小さいエージェント装置Ａを上位エージェント装置に決定する。それ以外のエージェント装置Ｃ１１３、エージェント装置Ｅ１１５およびエージェント装置Ｈ１１８は自動的に下位エージェント装置に決定する。ここでの決定ルールは識別ＩＤの大小であったが、別のルール、例えば故障率やメモリ容量の大小等でも良い。【００５１】  次に、上位エージェント装置に決定したエージェント装置Ａ１１１は、管理マネージャ装置１０に上位エージェント装置である事を通知し、各種情報を送信する。管理マネージャ装置１０は、自身の記録装置に上位エージェント装置のアドレス、識別ＩＤおよびグループ属性情報等を書いたテーブルを作成し、以降通常の管理および制御は上位エージェント装置に対して行う。【００５２】  さらに上位エージェント装置Ａ１１１は、同一論理グループ内の下位エージェント装置であるエージェント装置Ｃ１１３、エージェント装置Ｅ１１５およびエージェント装置Ｈ１１８に対して、取りまとめ的な役割を担う。管理マネージャ装置１０はエージェント装置１１への要求、動作条件の設定や制御情報の変更等は上位エージェント装置Ａ１１１だけに送信するので、上位エージェント装置Ａ１１１はその内容をマルチキャストして下位エージェント装置であるエージェント装置Ｃ１１３、エージェント装置Ｅ１１５およびエージェント装置Ｈ１１８に送信することで、効率的な管理および制御ができる。【００５３】  さて、エージェント装置１１は上記の論理グループ化機能と階層化機能の他にも、本システムを構成する上で重要な機能である、イベント通知機能、要求対応機能および自律制御機能の３つを有する。先ずイベント通知機能について説明する。エージェント装置１１は、自身に接続された複数のセンサの値が変化した場合、あるいは複数のセンサからの値があらかじめ設定された閾値を超えた場合、あるいは複数の閾値の組み合わせ条件に該当する場合、ＩＰパケットで管理マネージャ装置１０に通知する機能を備える。【００５４】  次に、要求対応機能について説明する。エージェント装置１１は、管理マネージャ装置１０からの動作設定の変更要求に対し、エージェント装置１１内のデータ記録部１９に記録されている動作設定を変更する機能と、管理マネージャ装置１０から要求された特定のセンサデータを管理マネージャ装置１０に送信する機能と、および管理マネージャ装置１０から要求された特定の空気調和設備、照明器具３０あるいは家電製品２９を、当該コントローラ２７を介して制御する機能を備える。【００５５】  更に自律制御機能について説明する。エージェント装置１１は、複数のセンサからの値が変化した場合、あるいは複数のセンサからの値があらかじめ設定された閾値を超えた場合、あるいは複数の閾値の組み合わせ条件に該当する場合、エージェント装置１１のデータ記録部１９に格納された処理プログラムに従い、接続されている各コントローラ２７を制御し、複数の空気調和設備、照明器具３０および家電製���２９を制御する機能を備える。【００５６】  次に管理マネージャ装置１０について図４を使い説明する。管理マネージャ装置１０は、本システムを管理・制御する８個のソフト群、データやログを保存・記録する記録装置６１、ＯＳ５８およびネットワークに接続するＬＡＮ−Ｉ／Ｆ６０等から構成される。【００５７】  ソフト群は、室内の温熱環境を屋内、屋外の環境データ、建築設計データ、各種伝熱係数等を元に、空気の流れと温度を連動させて計算する温熱環境計算ソフト５３、太陽電池や燃料電池による発電量や空気調和設備、家電機器、照明器具等の消費電力、および燃料電池やガス器具のガス消費量等を予測計算し、与えられた温熱環境でのエネルギー配分を最適化するエネルギー最適化ソフト５４、温熱環境計算ソフト５３とエネルギー最適化ソフト５４で得られた設定条件で機器を制御する機器制御ソフト５５、計算条件や計算結果、収集したセンサの値および機器制御の設定値等を記録するログ保存ソフト５６、不審者の接近や侵入を通知するセキュリティー機能や脈拍や心拍あるいは血圧等をバイタルセンサで測定し、正常値を外れる場合には本人に通知する等のサービスを行う拡張ソフト５７、前記５つのソフトの制御を行い、エージェント装置の管理・監視・制御を実行するマネージャソフト５１、遠隔の管理サイトにある統括管理マネージャから見た場合、管理マネージャ装置をエージェントとして動作し、統括管理マネージャからの要求に対して動作を行うエージェントソフト５２、およびマネージャソフト５１とエージェントソフト５２の調整を行い、システム全体の管理も行う全体コーディネータ５０からなる。【００５８】  次に、図７から図９のフローチャートを使い、本システムの動作、制御フローについて説明する。【００５９】  先ず、システム全体の動作フローについて図７を使い説明する。システムが起動すると、管理マネージャ装置１０の全体コーディネータ５０は、記録装置６１にあるログ情報によって現在の状況を確認し、システムを稼動させるために必要な環境設定（Ｓ１）を開始する。環境設定（Ｓ１）の中で、インターネット上の気象情報Ｗｅｂサイトにアクセスして、システム動作日の天気予報データ、具体的には１時間後との気温、湿度、風速、日射量、雨量等を取得する。【００６０】  続けて環境設定（Ｓ１）では、あらかじめ室内環境と省エネの相対的な関係を複数レベルに区分しておき、全体コーディネータ５０から命令を受けた温熱環境計算ソフト５３は、各レベルに対応する初期条件および境界条件を使い室内の温熱環境を複数回計算する（Ｓ２）。【００６１】  次に、温熱環境計算（Ｓ２）で得られた各レベルでの計算結果に基づき、エネルギー最適化ソフト５４は、各レベルでの太陽電池発電や燃料電池発電および家電機器の消費電力等を最適化するエネルギー配分と機器制御パターンを算出する（Ｓ３）。このフローをレベルの個数分繰り返す（Ｓ４）。【００６２】  次に、全体コーディネータ５０は、住宅の居住者あるいは店舗の管理者に、温熱環境計算（Ｓ２）とエネルギー最適化計算（Ｓ３）で得られた各レベルの計算結果を表示する（Ｓ５）。住宅の居住者あるいは店舗の管理者は、表示された結果の中から希望するレベルをひ��つ選択する（Ｓ５）と、全体コーディネータ５０は、選択したレベルの機器制御パターンをマネージャソフト５１に与える。【００６３】  マネージャソフト５１はシステムの制御を開始し、ログ保存ソフト５６を使いセンサの計測データや機器制御の設定データを収集し、データを記録装置６１に記録する（Ｓ６）。【００６４】  次にマネージャソフト５１は機器制御パターンを機器制御ソフト５５に与え、機器制御ソフト５５は機器制御パターンに沿ってエージェント装置１１を制御し、コントローラ２７に信号を送り機器を制御する（Ｓ７）。【００６５】  ログ保存ソフト５６を使い、機器制御後のセンサデータ等をエージェント装置１１から収集し、記録装置６１に記録する（Ｓ８）。【００６６】  次に、ログ保存ソフト５６で収集したセンサデータが計算値と異なる場合、あるいは温熱環境計算（Ｓ２）とエネルギー最適化計算（Ｓ３）で使用した設定条件と異なる場合、あるいは想定外のイベントが発生した場合（Ｓ９）には、エージェント装置１１は動的にあらかじめ設定された処理手順あるいはプログラムに従い機器の制御を行う（Ｓ１１）。またマネージャソフト５１は温熱環境計算用の境界条件を変更（Ｓ１１）して、再度温熱環境計算（Ｓ２）、エネルギー最適化計算（Ｓ３）を行い、変更後の条件で計算した機器制御パターンを算出する。これ以降は同じフローになる。【００６７】  システムは前記処理を繰り返すが、機器制御の処理が１日分終了すると（Ｓ１０）、計算結果を記録装置に記録し、屋外及び屋内の実測データを初期条件に設定する（Ｓ１２）。次の日の温熱環境を計算する際に必要な屋外の境界条件を設定するため、インターネット上の気象情報Ｗｅｂサイトにアクセスして、明日の天気予報データ、具体的には１時間後との気温、湿度、風速、日射量、雨量等を取得する（Ｓ１２）。以降、毎日これらのフローを繰り返す。【００６８】  次に、温熱環境計算の処理フローについて図８を使い説明する。屋内、屋外の環境データを用いて初期条件および境界条件を設定後、室内の環境予測計算を行う（Ｓ２１）。この段階では、窓や換気装置あるいはカーテンやブラインド等の太陽光遮蔽装置を利用しない境界条件を設定する。温熱計算は、空気の流れを考慮し、自然対流での熱流体方程式を離散化して求める。熱流体方程式は、連続の式、運動方程式であるナビエーストークスの式およびエネルギー保存式からなる。離散化の度合いに関しては、余り細かくすると計算量が膨大になるので、計算精度と計算時間とのバランスを考慮して決定する。なお、計算の負荷が大きい場合には、モデル化した簡易計算で近似する場合もある。【００６９】  次に、計算で求められた室内の温度、湿度、気流速等の環境データに関して、窓や換気装置あるいは太陽光遮蔽装置等を利用しない状態で、居住者毎に室内が希望する温熱環境に合致するかどうかの判定を行う（Ｓ２２）。判定における評価式に、学会や業界で一般的に知られている新有効温度、新標準有効温度あるいはＰＭＶ値等の温熱指標を採用する事もできるし、あるいは全く新しい温熱指標を使う場合もある。【００７０】  窓・換気判定（Ｓ２２）で居住者の希望する環境が実現できている場合は、そのまま計算結果を提案条���として保存する（Ｓ２６）。一方、窓・換気判定（Ｓ２２）で居住者の希望する環境が実現できていない場合は、窓を開けた状態、換気装置を使用する条件および太陽光遮蔽装置を利用する条件に対応する境界条件に変更し、室内温熱環境を計算する。この場合には、室内の空気の流れは、自然対流ではなく乱流モデルと想定し、先に流れの方程式である、連続の式と運動方程式で圧力と流速を求め、エネルギー保存式に代入して温度を求める（Ｓ２３）。ここでも離散化の度合いに関しては、余り細かくすると計算量が膨大になるので、計算精度と計算時間とのバランスを考慮して決定する。【００７１】  次に、計算で求められた室内の温度、湿度、気流速等の環境データに関して、窓や換気装置あるいは太陽光遮蔽装置等を利用した状態で、居住者毎に室内が希望する温熱環境に合致するかどうかの判定を行う（Ｓ２４）。判定における評価式に、学会や業界で一般的に知られている新有効温度、新標準有効温度あるいはＰＭＶ値等の温熱指標を採用する事もできるし、あるいは全く新しい温熱指標を使う場合もある。【００７２】  次に、空調制御判定（Ｓ２４）では、先の計算（Ｓ２３）で居住者の希望する環境が実現できている場合は、そのまま計算結果を提案条件として保存する（Ｓ２６）。一方、空調制御判定（Ｓ２４）で居住者の希望する環境が実現できていない場合は、空調制御に対応する境界条件に変更し、室内温熱環境を計算する。この場合には、室内の空気の流れは、自然対流ではなく乱流モデルと想定し、先に流れの方程式である、連続の式と運動方程式で圧力と流速を求め、エネルギー保存式に代入して温度を求める（Ｓ２５）。ここでも離散化の度合いに関しては、余り細かくすると計算量が膨大になるので、計算精度と計算時間とのバランスを考慮して決定する。【００７３】  計算結果は管理マネージャ装置１０の記録装置６１に記録され、居住者への提案条件として提示される（Ｓ２７）。これを終了すると、次のエネルギー最適化計算に進む。【００７４】  次にエネルギー最適化計算について、図９を用いて処理フローを説明する。先ず、太陽電池発電設備４１における発電量を計算する（Ｓ３１）。太陽電池発電は、設置された太陽電池パネルの容量とパネル枚数で発電量の定格出力が決定し、日々の日射量の変化により発電量が変化する。またパネルの設置方式や影の影響および機器の損失係数や変換効率等が関係するため、これらを考慮して発電量を計算する必要がある。なお、日々の日射量は、インターネット上の気象情報Ｗｅｂサイト３８から計算対象日の日射量予測から取得する。【００７５】  次に、温熱環境計算で求められた環境条件や機器の設定条件あるいは使用時間等を元に、動作させる空調機、換気装置、太陽光遮蔽装置およびＴＶや洗濯機、冷蔵庫等の家電機器や照明器具の消費電力を予測計算する（Ｓ３２）。【００７６】  次に、消費電力予測計算（Ｓ３２）で求めた消費電力から太陽電池発電予測計算（Ｓ３１）で求めた発電量を分単位あるいは時間単位で差し引きし、消費電力量が大きい場合には、購入電力量として設定する。これを分単位あるいは時間単位の購入電力量を１日分総和し、更に昼夜時間帯別に購入電気料金を計算する（Ｓ３４）。【００���７】  先に購入電力量予測計算（Ｓ３３）で求めた購入電力量から、燃料電池発電設備４２による発電量を予測する。燃料電池発電ではガスを必要とし、廃熱交換による給湯も関係するので、ガス料金と給湯量も考慮した予測計算を行う（Ｓ３５）。【００７８】  先太陽電池発電予測計算（Ｓ３１）、消費電力予測計算（Ｓ３２）、購入電力量予測計算（Ｓ３３）および燃料電池発電予測計算（Ｓ３４）で得られた発電量、必要消費電力、購入電気料金、ガス料金等を考慮して最適化計算を行う（Ｓ３５）。評価対象はエネルギー料金の最小化、売電力料金の最大化、発生二酸化炭素量の最小化、換算石油消費量最小化等に選択でき、これらの評価対象を最適化する。具体的な計算方法としては、多変数関数の極値問題に置き換えてラグランジェの未定乗数法や非線形計画法による場合、あるいは変分法による場合等が一般的である。【００７９】  最適化されたエネルギー条件は、居住者への提案条件として保存される（Ｓ３６）。
【図面の簡単な説明】
【００８０】
【図１】  本環境エネルギー管理システムをモデル化したシステム構成図である。
【図２】  本環境エネルギー管理システムをシステム拡張した構成図である。
【図３】  エージェント装置の機能ブロック図である。
【図４】  管理マネージャ装置の機能ブロック図である。
【図５】  エージェント装置の動的論理グループ機能を例示した図である。
【図６】  エージェント装置の動的階層化機能を例示した図である。
【図７】  本システムにおけるメイン処理フロー図である。
【図８】  本システムにおける温熱環境計算のフロー図である。
【図９】  本システムにおけるエネルギー最適化計算のフロー図である。
【符号の説明】
【００８１】１      エネルギー環境管理システム図
２      拡張されたエネルギー環境管理システム図
３      エージェント装置
４      管理マネージャ装置
１０    管理マネージャ装置
１１    エージェント装置
１２    目的処理部
１３    通信処理部
１４    センサＩ／Ｆ部
１５    制御Ｉ／Ｆ部
１６    自律処理部
１７    階層処理部
１８    グループ処理部
２０    ＬＡＮ
２１    動的論理グループ１
２２    動的論理グループ２
２３    環境センサ
２４    電力量センサ
２５    ガス量センサ
２６    気象センサ
２７    コントローラ
２８    空調機
２９    家電機器
３０    照明器具
３１    ガス器具
３２    換気装置
３３    太陽光遮蔽装置
３４    赤外線通信
３５    有線通信
３６    ルーター
３７    ＩＰネットワーク
３８    気象情報Ｗｅｂサイト
３９    管理Ｗｅｂサイト
４０    モニタ端末
４１    太陽電池発電設備
４２    燃料電池発電設備
５０    全体コーディネータ
５１    マネージャソフト
５２    エージェントソフト
５３    温熱環境計算ソフト
５４    エネルギー最適化ソフト
５５    機器制御ソフト
５６    ログ保存ソフト
５７    拡張ソフト
５８    オペレーションシステム
５９    デバイスドライバ
６０    ＬＡＮ−Ｉ／Ｆ
６１    記録装置
１１１  エージェント装置Ａ
１１２  エージェント装置Ｂ
１１３  エージェント装置Ｃ
１１４  エージェント装置Ｄ
１１５  エージェント装置Ｅ
１１６  エージェント装置Ｆ
１１７  エージェント装置Ｇ
１１８  エージェント装置Ｈ
１１９  エージェント装置Ｊ
２３１  温度センサ
２３２  湿度センサ
２３３  気流センサ
２４１  発電量センサ
２４２  買電量センサ
２７１  空調コントローラ
【図１】
2006331372.tif 000003
【図２】
2006331372.tif 000004
【図３】
2006331372.tif 000005
【図４】
2006331372.tif 000006
【図５】
2006331372.tif 000007
【図６】
2006331372.tif 000008
【図７】
2006331372.tif 000009
【図８】
2006331372.tif 000010
【図９】
2006331372.tif 000011